(57)【特許請求の範囲】
【請求項１】
電路に流れる電流を開閉する開閉接点と、前記開閉接点を開閉操作する開閉操作機構と、前記電路の電圧が所定値以下のとき前記開閉操作機構を動作させて前記開閉接点を開路させる不足電圧引外し装置と、前記開閉接点と前記操作機構と前記不足電圧引外し装置を収容する筐体とを備えた回路遮断器であって、前記不足電圧引外し装置は、前記電路の電圧が印加される電磁石と、前記電圧が所定値より高いときは前記電磁石に吸引されて第１の位置に保持され前記電圧が前記所定値以下となったとき前記第１の位置から第２の位置へ移動するプランジャーと、前記プランジャーに固着され前記プランジャーが前記第２の位置へ移動したとき又は前記第２の位置へ移動する過程で前記開閉操作機構を動作させるシャフトとを備え、前記プランジャーは、前記筐体に設けられた嵌合孔から前記筐体の内部に随時挿入されるプランジャー保持装置により前記第１の位置に保持されるようにした回路遮断器。
【請求項２】
前記筐体に設けられた嵌挿孔は、前記プランジャー保持装置が着脱自在に挿入される挿入孔と、前記シャフトを移動させて前記プランジャーを前記第１の位置へ移動させるときに前記プランジャー保持装置を摺動させる摺動孔と、前記プランジャー保持装置を係止して前記プランジャーを前記第１の位置に保持する係止孔とを備えたことを特徴とする請求項１に記載の回路遮断器。
【請求項３】
回動自在に支持され所定の位置にあるとき前記シャフトに係合して前記プランジャーを前記第１の位置に保持する保持部材を備え、前記保持部材は、前記筐体に設けられた嵌合孔から前記筐体の内部に随時挿入されるプランジャー保持装置により回動されて、前記プランジャーを前記第１の位置に保持し又はその保持を解くよう操作されることを特徴とする請求項１に記載の回路遮断器。
【請求項４】
電路の電圧が印加される電磁石と、前記電圧が所定値より高いときは前記電磁石に吸引されて第１の位置に保持され前記電圧が前記所定値以下となったとき前記第１の位置から第２の位置へ移動するプランジャーと、前記プランジャーに固着され前記プランジャーが前記第２の位置へ移動したとき又は前記第２の位置へ移動する過程で前記開閉操作機構を動作させて前記電路を開閉する開閉接点を開路する不足電圧引外し装置とを備えた回路遮断器に用いられるプランジャー保持装置であって、前記開路遮断器の筐体に設けられた嵌合孔に着脱自在に挿入され前記シャフトに係合して前記プランジャーを前記第１の位置に保持する係止部と、この係止部と一体に形成され前記筐体の外部で把持されて前記係止部を前記シャフトに係合させ又はその係合を解くよう操作し得る把持部とを備えた回路遮断器のプランジャー保持装置。
【請求項５】
電路の電圧が印加される電磁石と、前記電圧が所定値より高いときは前記電磁石に吸引されて第１の位置に保持され前記電圧が前記所定値以下となったとき前記第１の位置から第２の位置へ移動するプランジャーと、前記プランジャーに固着され前記プランジャーが前記第２の位置へ移動したとき又は前記第２の位置へ移動する過程で前記開閉操作機構を動作させて前記電路を開閉する開閉接点を開路する不足電圧引外し装置と、回動自在に支持され所定の位置にあるとき前記シャフトに係合して前記プランジャーを前記第１の位置に保持する保持部材とを備えた回路遮断器に用いられるプランジャー保持装置であって、前記回路遮断器の筐体に設けられた嵌合孔に着脱自在に挿入されて前記保持部材に係合する係合部と、この係合部と一体に形成され前記筐体の外部で把持されて前記係合部に係合した前記保持部材を回動して前記シャフトに係合させ又はその係合を解くよう操作し得る把持部とを備えた回路遮断器のプランジャー保持装置。
【発明の詳細な説明】
【技術分野】
【０００１】
本発明は、回路遮断器、特に電路の電圧が所定の電圧以下のときに遮断器をトリップ動作させる不足電圧引外し装置を備えた回路遮断器、及びその回路遮断器のプランジャーを保持するプランジャー保持装置に関する。
【背景技術】
【０００２】
従来の回路遮断器として、電路に流れる電流を開閉する開閉接点と、この開閉接点を開閉操作する開閉操作機構と、電路に過電流が流れたときに開閉操作機構を動作させる過電流引外し機構と、電路の電圧が所定値以下のときに開閉操作機構を動作させる不足電圧引外し装置とを備え、過電流引外し機構及び不足電圧引外し機構の動作によるトリップ動作により開閉接点を開放するようにしたものがある。（例えば、特許文献１参照）
【０００３】
【特許文献１】特開平１０−２５５６３９号公報
【発明の開示】
【発明が解決しようとする課題】
【０００４】
以上のように構成された従来の回路遮断器は、回路遮断器の定期点検や配電盤内のシーケンスチェック等の作業時には、安全上、回路遮断器に供給している電路の電圧を切断して実施しなければならない。この場合、電路の電圧を切断すると不足電圧引外し装置が動作して回路遮断器がトリップ動作を行い、開閉接点が開放状態で保持されるため、作業を実施するためには制御電源を別途用意して不足電圧引外し装置に電圧を供給して作業しなければならず作業が煩わしいという課題があった。
【０００５】
この発明は、上述のような従来の装置における課題を解決するためになされたもので、回路遮断器に供給している電路の電圧を切断した状態においても制御電源を別途用意することなく回路遮断器の定期点検や盤内のシーケンスチェック等の作業を容易に行うことができる回路遮断器を得ることを目的としている。
【課題を解決するための手段】
【０００６】
この発明に係る回路遮断器は、電路に流れる電流を開閉する開閉接点と、前記開閉接点を開閉操作する開閉操作機構と、前記電路の電圧が所定値以下のとき前記開閉操作機構を動作させて前記開閉接点を開路させる不足電圧引外し装置と、前記開閉接点と前記操作機構と前記不足電圧引外し装置を収容する筐体とを備えた回路遮断器であって、前記不足電圧引外し装置は、前記電路の電圧が印加される電磁石と、前記電圧が所定値より高いときは前記電磁石に吸引されて第１の位置に保持され前記電圧が前記所定値以下となったとき前記第１の位置から第２の位置へ移動するプランジャーと、前記プランジャーに固着され前記プランジャーが前記第２の位置へ移動したとき又は前記第２の位置へ移動する過程で前記開閉操作機構を動作させるシャフトとを備え、前記プランジャーは、前記筐体に設けられた嵌合孔から前記筐体の内部に随時挿入されるプランジャー保持装置により前記第１の位置に保持されるようにしたものである。
【０００７】
又、この発明に係る回路遮断器のプランジャー保持装置は、電路の電圧が印加される電磁石と、前記電圧が所定値より高いときは前記電磁石に吸引されて第１の位置に保持され前記電圧が前記所定値以下となったとき前記第１の位置から第２の位置へ移動するプランジャーと、前記プランジャーに固着され前記プランジャーが前記第２の位置へ移動したとき又は前記第２の位置へ移動する過程で前記開閉操作機構を動作させて前記電路を開閉する開閉接点を開路する不足電圧引外し装置とを備えた回路遮断器に用いられるプランジャー保持装置であって、前記回路遮断器の筐体に設けられた嵌合孔に着脱自在に挿入され前記シャフトに係合して前記プランジャーを前記第１の位置に保持する係止部と、この係止部と一体に形成され前記筐体の外部で把持されて前記係止部を前記シャフトに係合させ又はその係合を解くよう操作し得る把持部とを備えたものである。
【０００８】
更に、この発明に係る回路遮断器のプランジャー保持装置は、電路の電圧が印加される電磁石と、前記電圧が所定値より高いときは前記電磁石に吸引されて第１の位置に保持され前記電圧が前記所定値以下となったとき前記第１の位置から第２の位置へ移動するプランジャーと、前記プランジャーに固着され前記プランジャーが前記第２の位置へ移動したとき又は前記第２の位置へ移動する過程で前記開閉操作機構を動作させて前記電路を開閉する開閉接点を開路する不足電圧引外し装置と、回動自在に支持され所定の位置にあるとき前記シャフトに係合して前記プランジャーを前記第１の位置に保持する保持部材とを備えた回路遮断器に用いられるプランジャー保持装置であって、前記回路遮断器の筐体に設けられた嵌合孔に着脱自在に挿入されて前記保持部材に係合する係合部と、この係合部と一体に形成され前記筐体の外部で把持されて前記係合部に係合した前記保持部材を回動して前記シャフトに係合させ又はその係合を解くよう操作し得る把持部とを備えたものである。
【発明の効果】
【０００９】
この発明の回路遮断器は、不足電圧引外し装置のプランジャーが、筐体に配設した嵌合孔に随時挿入されるプランジャー保持手段により前記第１の位置に保持されるようにしたので、回路遮断器に供給している電路の電圧を切断した状態においても制御電源を別途用意することなく回路遮断器の定期点検や盤内のシーケンスチェック等の作業を容易に行うことができる。
【００１０】
又、この発明による回路遮断器のプランジャー保持装置によれば、回路遮断器の筐体に設けられた嵌合孔に着脱自在に挿入されシャフトに係合してプランジャーを第１の位置に保持する係止部と、この係止部と一体に形成され前記筐体の外部で把持されて前記係止部を前記シャフトに係合させ又はその係合を解くよう操作し得る把持部とを備えているので、必要に応じて回路遮断器の筐体の外部から筐体の内部に挿入して、不足電圧引外し装置のプランジャーを第１の位置に簡単に保持することができ、回路遮断器に供給している電路の電圧を切断した状態においても制御電源を別途用意することなく回路遮断器の定期点検や盤内のシーケンスチェック等の作業を容易に行うことができる。
【００１１】
更に、この発明による回路遮断器のプランジャー保持装置によれば、回路遮断器の筐体に設けられた嵌合孔に着脱自在に挿入されてプランジャーを第１の位置に保持する保持部材に係合する係合部と、この係合部と一体に形成され前記筐体の外部で把持されて前記係合部に係合した前記保持部材を回動してシャフトに係合させ又はその係合を解くよう操作し得る把持部とを備え備ているので、必要に応じて回路遮断器の筐体の外部から筐体の内部に挿入して、不足電圧引外し装置のプランジャーを第１の位置に極めて簡単に保持することができ、回路遮断器に供給している電路の電圧を切断した状態においても制御電源を別途用意することなく回路遮断器の定期点検や盤内のシーケンスチェック等の作業を容易に行うことができる。
【発明を実施するための最良の形態】
【００１２】
実施の形態１．
図１は、この発明の実施の形態１における回路遮断器を示す斜視図、図２及び図３は図１の要部断面拡大図である。
図１乃至図３において、回路遮断器１００は、固定接点１ａと可動接点１ｂとからなる開閉接点１と、この開閉接点１を開閉操作する開閉操作機構２と、電路（図示せず）に過電流が流れたときにトリップバー２１を回動させて開閉操作機構２に開閉接点１を開路させる動作を行わせる過電流引外し機構３と、電路の電圧が所定値以下のときにトリップバー２１を回動させて開閉操作機構２に開閉接点１を開路させる動作をさせる不足電圧引外し装置４とを備えている。又、回路遮断器１００は、絶縁物により形成された筐体５を備え、開閉接点１と、開閉操作機構２と、トリップバー２１と、過電流引外し機構３と、不足電圧引外し装置４とは、この筐体５の内部に収容されている。
【００１３】
不足電圧引外し装置４は、電路の電圧が印加される電磁コイルを有する電磁石（図示せず）と、この電磁石に吸引されるプランジャー７と、このプランジャー７に固定されたシャフト８を備えている。プランジャー７は、常時は復帰スプリング（図示せず）により矢印Ｂ方向に付勢されているが、電路の所定値より大きい電圧が電磁コイルに印加されると、その電磁コイルの発生する磁束により吸引され復帰スプリングの付勢力に抗して矢印Ａの方向に移動して第１の位置に保持され、電路の電圧が所定値以下になると復帰スプリングの付勢力により矢印Ｂ方向に移動して第２の位置の保持される。
【００１４】
シャフト８は、プランジャー６に連動して移動し、プランジャー７が第１の位置から矢印Ｂ方向に移動して第２の位置に達するときトリップバー２１に固定されたトリップレバー２２と係合する。トリップバー２１は、その軸心の周りに回動できるように支持されており、トリップレバー２２がシャフト８の先端部により矢印Ｂ方向に押圧されることにより、その軸心の周りに反時計方向に回動する。開閉接点１が閉路された状態にあるとき、トリップバー２１が反時計方向に回動すると、蓄勢状態にあるトグル機構（図示せず）が釈放されて開閉操作機構２は瞬時に開閉接点１を開路する。筐体５は、その前面に開口する嵌挿孔６を備えている。
【００１５】
プランジャー保持装置９は、嵌挿孔６に筐体５の外部から筐体５の内部に挿入されシャフト８の係合部８ａに係合する係止部９ａと、この係止部９ａと一体に形成され筐体５の外部で把持され得る把持部９ｂとを備えている。プランジャー保持装置９は、回路遮断器１００に電路の電圧が印加されているときに、その係止部９ａが筐体５に設けられた嵌合孔６から筐体５の内部に挿入されてシャフト８の係合部８ａに係合し、シャフト８及びプランジャー７が矢印Ｂ方向に移動するのを阻止することによりプランジャー７を第１の位置に保持する。プランジャー保持装置９は、その把持部９ｂを把持して筐体５の嵌挿孔６から随時に抜き取ることができる。
【００１６】
次に、以上のように構成されたこの発明の実施の形態１における回路遮断器１００の定期点検を実施する場合の動作について説明する。
回路遮断器１００に電路の電圧が印加された状態においては、プランジャー７は電磁コイルに吸着された位置である第１の位置に保持されており、シャフト８の係合部８ａはトリップレバー２２から離れた状態にある。この状態において、プランジャー保持装置９の把持部９ｂを把持して筐体５の外部から係合部９ａを嵌挿孔６に挿入し、その係止部９ａをシャフト８の係合部８ａとトリップレバー２２との間に嵌挿し、図３に示す状態とする。
【００１７】
次に、回路遮断器１００を電路から切り離す。この状態においては、プランジャー７は、プランジャー保持装置９の係止部９ａにより、電磁石に吸着された位置である第１の位置に保持されているので、シャフト８の係合部８ａはトリップレバー２２に係合されず、回路遮断器１００はトリップすることなく、開閉操作機構２を手動操作機構（図示せず）を用いて操作して開閉接点１を開閉操作するなどの動作確認の定期点検を実施する。点検が終了すれば、プランジャー操作装置９を嵌挿孔６から抜き取り、回路遮断器１００を電路に投入して通常の運転状態に戻す。
【００１８】
以上のように構成されたこの発明の実施の形態１における回路遮断器においては、プランジャー操作装置９の係止部９ａを回路遮断器１００の筐体５の前面に開口する嵌挿孔６から筐体５の内部に挿入し、その係止部９ａによりプランジャー７を電磁コイルに吸引された位置である第１の位置に保持するようにしたので、不足電圧引外し装置４は電路の電圧が印加されてないときにおいてもトリップすることがなく、制御電源を別途用意することなく回路遮断器１００の定期点検を容易に行うことができる。
【００１９】
実施の形態２．
実施の形態１では、回路遮断器１００に電路の電圧が印加された状態において、プランジャー７が吸着位置に保持されているときにプランジャー保持装置９を筐体の嵌合孔６に挿入することでプランジャー７を吸着位置に保持させ、シャフト８の係合部８ａがトリップレバー２２に係合されないようにしたが、実施の形態２は、回路遮断器に電路の電圧が印加されておらず不足電圧引外し装置が電圧無印加状態にあり、シャフトが電磁石に吸着される前の位置にあるときに、回路遮断器の定期点検を容易に行うことができるようにしたものである。
【００２０】
図４は、この発明の実施の形態２における回路遮断器を示す外観斜視図、図５及び図６は図４の要部拡大図である。図４乃至図６において、回路遮断器１０１の筐体５の前面には嵌挿孔２０が設けられている。この嵌挿孔２０は、挿入孔１０と、この挿入孔１０に繋がる摺動孔１１、及びこの摺動孔１１に繋がる係止孔１２とで構成されている。
【００２１】
プランジャー保持装置１４は、把持部１４ｂと押圧部１４ａを備えている。押圧部１４ａは、ほぼＬ字形の係合溝１４ａ１を備えており、後述するように、回路遮断器１０１に電路の電圧が印加されていないときに、把持部１４ｂが把持されて筐体５の前面から嵌挿孔２０の挿入孔１０に挿入され、係合溝１４ａ１がシャフト８の係合部８ａに係合する。そして、シャフト８の当接部８ｂがプランジャー保持装置１４の押圧部１４ａにより、復帰スプリング（図示せず）の付勢力に抗して矢印Ａ方向に押圧されることにより、シャフト８及びプランジャー７は電磁石に吸引されたときの位置である第１の位置に移動され、その位置に保持される。プランジャー保持装置１４は、その把持部１４ｂを把持して筐体５の嵌合孔６から随時に抜き取ることができる。
その他の構成は、実施の形態１と同様であるので、説明を省略する。
【００２２】
次に、以上のように構成されたこの発明の実施の形態２に係る回路遮断器１０１に於いて、その定期点検を実施する場合の動作について説明する。先ず、回路遮断器１０１を電路から切り離し、回路遮断器１０１に電路の電圧が印加されていない状態とする。この状態に於いては、不足電圧引外し装置４の電磁石に電圧が印加されていないので、プランジャー７は復帰スプリングにより矢印Ｂ方向に復帰し第２の位置にある。このときシャフト８の係合部８ａはトリップレバー２ａに係合して開閉操作機構２を動作させて開閉接点１を開路させた状態にある。
【００２３】
この状態のとき、プランジャー保持装置１４を回路遮断器１０１の筐体５の嵌挿孔２０の挿入孔１０に挿入して、シャフト８の係合部８ａに押圧部１４ａの係合溝１４ａ１を嵌合させる。次に、プランジャー保持装置１４を筐体５の摺動孔１１に沿って図の上方向（矢印A方向）に摺動させて押圧部１４ａによりシャフト８の当接部８ｂを矢印Ａ方向に押圧し、プランジャー７を電磁石に吸引される前の第２の位置から吸引後の第１の位置に移動させる。その後、プランジャー保持装置１４を係止孔１２に沿ってシャフト８を中心として反時計方向に回動させこの係止孔１２により係止する。これにより、プランジャー７は第１の位置に保持される。
【００２４】
この状態においては、プランジャー７は電磁石への吸着位置である第１の位置に保持されているので、シャフト８の係合部８ａはトリップレバー２２に係合されず、開閉操作機構２を図示しない手動操作機構を用いて操作して開閉接点１を開閉操作するなどの動作確認の定期点検等を実施することができる。定期点検等の実施後は、プランジャー保持装置１４をシャフト８との係合を解いて抜き取り、回路遮断器１００を通常の運転状態に戻す。
【００２５】
以上のように構成されたこの発明の実施の形態２における回路遮断器においては、不足電圧引外し装置４が電圧を印加していない状態でプランジャー７が吸引前位置にあるときに、着脱可能に形成されたプランジャー保持装置１４を筐体５に挿入するすることにより、制御電源を別途用意することなく回路遮断器１０１の定期点検を容易に行うことができる。
【００２６】
実施の形態３．
図７、図８は、この発明の実施の形態３における回路遮断器の要部拡大図である。図７及び図８に於いて、保持部材１５は、回路遮断器の筐体５内で軸１５ｂにより回動自在に支持されている。この保持部材１５は、略Ｌ字形の板体により構成され、一端に係合用の凸部１５ａを備え、他端はシャフト８の係合部８ａに係合する係止部１５ｃを備えている。回路遮断器の筐体は図示していないが、実施の形態１と同様に構成され、図１に示すようにその前面に嵌合孔６が形成されている。
【００２７】
プランジャー保持装置１６は、係合溝１６ａ１を有する押圧部１６ａとこの押圧部１６aに一体の形成された把持部１６ｂとを備えている。後述するように、回路遮断器に電路の電圧が印加されているときに、プランジャー保持装置１６は、その把持部１６ｂが把持されて筐体５の前面から嵌挿孔６に挿入され、押圧部１６ａの係合溝１６ａ１が保持部材１５の凸部１５ａに係合する。そして、把持部１６ｂが図の右方向に押圧されることにより保持部材１５を軸１５ｂを中心として矢印Ｅ方向に回動させ、その係止部１５ｃをシャフト８の当接部８ｂに係合させる。これによりプランジャー７は電磁石に吸引された位置である第１の位置に保持される。プランジャー保持装置１６は、その把持部１６ｂを把持して筐体５の嵌合孔６から随時に抜き取ることができる。
その他の構成は、実施の形態１と同様であるので、説明を省略する。
【００２８】
次に以上のように構成されたこの発明の実施の形態３における回路遮断器を定期点検する場合動作について、図１、図７及び図８を用いて説明する。
回路遮断器に電路の電圧が印加された状態においては、プランジャー７は電磁石に吸着位置された第１の位置に保持されており、プランジャー保持装置１６の押圧部１６ａを、回路遮断器１００の筐体５の前面に配設した嵌挿孔６から矢印Ｄの方向に移動させて筐体５の内部に挿入し、その係合溝１６ａ１を保持部材１５の凸部１５ａに係合させる。
【００２９】
次に、プランジャー保持装置１６の把持部１６ｂを押圧して、保持部材１５を軸１５ｂを支点として回動矢印Ｅ方向に回動させ、保持部材１５の係止部１５ｃを、シャフト８の係合部８ａとトリップレバー２２との間に嵌挿して図８に示す状態とする。その後、プランジャー保持装置１６の把持部１６ｂを操作して押圧部１６ａを保持部材１５の凸部１５ａから外し、プランジャー保持装置１６を嵌合孔６から引き抜く。
【００３０】
次に、回路遮断器を電路から切り離す。この状態においては、プランジャー７は吸着位置である第１の位置に保持されているので、シャフト８の係合部８ａはトリップレバー２２に係合されず、回路遮断器はトリップすることなく、開閉操作機構２を図示しない手動操作機構を用いて操作して開閉接点１を開閉操作する等の動作確認の定期点検等を実施することができる。
【００３１】
以上のように構成されたこの発明の実施の形態３における回路遮断器においては、プランジャー保持装置１６の押圧部１６ａを回路遮断器の筐体５の前面に配設された嵌合孔６から挿入し、保持部材１５を回動させてその係止部１５ｃをシャフト８の係合部８ａとトリップレバー２２との間に嵌挿することにより、不足電圧引外し装置４は電路の電圧が印加されてないときにおいてもトリップすることがないので、制御電源を別途用意することなく回路遮断器１００の定期点検を容易に行うことができる。
【００３２】
また、操作部材１６の係止部１６ｃを、一旦、シャフト８の係合部１８ａとトリップレバー２２との間に挿入してプランジャー７を第１の位置に保持した後、プランジャー保持装置１６を筐体５から引き抜いても不足電圧引外し装置４のプランジャー７は吸引位置である第１の位置に保持されるので、点検中にプランジャー保持装置１６を装着しておく必要がなく、点検中に誤ってプランジャー保持装置１６が外れて点検が継続できなくなるという恐れはない。
【図面の簡単な説明】
【００３３】
【図１】この発明の実施の形態１における回路遮断器を示す斜視図である。
【図２】この発明の実施の形態１における回路遮断器の要部拡大図である。
【図３】この発明の実施の形態１における回路遮断器の要部拡大図である。
【図４】この発明の実施の形態２における回路遮断器を示す斜視図である。
【図５】この発明の実施の形態２における回路遮断器の要部拡大図である。
【図６】この発明の実施の形態２における回路遮断器の要部拡大図である。
【図７】この発明の実施の形態３における回路遮断器の要部拡大図である。
【図８】この発明の実施の形態３における回路遮断器の要部拡大図である。
【符号の説明】
【００３４】
１    開閉接点
１ａ    固定接点
１ｂ    可動接点
２    開閉操作機構
３    過電流引外し機構
４    不足電圧引外し装置
５    筐体
６、２０    嵌挿孔
７  プランジャー
８    シャフト
８ａ    シャフトの係合部
８ｂ    シャフトの当接部
９、１４、１６    プランジャー保持装置
９ａ  係止部
９ｂ、１４ｂ、１６ｂ    把持部
１４ａ、１６ａ    押圧部
１４ａ１、１６ａ１    係合溝
１０  挿入孔
１１  摺動孔
１２  係止孔
１５  保持部材
１５ａ    凸部
１５ｂ    軸
１５ｃ    保持部材の係止部
１００、１０１    回路遮断器
２１    トリップバー
２２    トリップレバー
【図１】
0004587972.tif 000002
【図２】
0004587972.tif 000003
【図３】
0004587972.tif 000004
【図４】
0004587972.tif 000005
【図５】
0004587972.tif 000006
【図６】
0004587972.tif 000007
【図７】
0004587972.tif 000008
【図８】
0004587972.tif 000009